(57)【特許請求の範囲】
【請求項１】
両端を開口した筒状のケース本体の一端部を拡開させるとともに開口縁に嵌合部を形成した一対のケースを用い、間にシート状のフィルターを介在させた状態で、開口部同士を対面させて嵌合部を嵌合させて組み立て、前記組み立てた一対のケースにおいて対面する嵌合部内面に、リング状の押圧突片と、該押圧突片が嵌入しうる一対の挟持片を離間して平行配設したリング状の挟持部をそれぞれ設け、一方のケースに他方のケースが外嵌しうるように、拡開させたケース本体の開口縁から略垂直に鍔片を周設し、かかる一方のケースの鍔片を、前記他方のケースの鍔片とで挟持しうる圧片を他方のケース内面に周設し、第１次シール部を形成し、一方のケースの鍔片と他方のケースの鍔片の当接面に全周にわたって凹凸部を設けて第２次シール部を形成し、第１次シール部における一方のケースの鍔片と圧片の接触面を先端に向かうにつれて内側斜めに傾斜させたテーパー面を設けた呼吸測定器用フィルターユニット。
【請求項２】
第１鍔片外面の角部にシール凹部を設け、第２鍔片内面の先端部にシール凸部を設けることにより、第２次シール部を形成した請求項１に記載の呼吸測定器用フィルターユニット。
【発明の詳細な説明】
【０００１】
【発明の属する技術分野】
本発明は、呼吸を行う毎に得られるガス濃度変化を測定する呼吸測定器に接続するフィルターユニットに関し、更に詳しくは使い捨て用の簡易な呼吸測定器用フィルターユニットに関する。
【０００２】
【従来の技術】
従来より、病院等において、呼吸を行う毎に得られるガス濃度変化をガスメーターと高精度フローセンサーの信号に基づいて酸素、二酸化炭素等の体積を測定する呼吸測定器が用いられている。具体的には、被測定者が被るマスクと呼吸測定器をチューブで連結し、間にフィルターを内蔵したフィルター装置が接続されている。そして、マスクを被った被測定者が呼吸を行うとフィルター装置のフィルターを通過して呼吸測定器に送られて酸素、二酸化炭素等の体積の測定が行われ、被測定者の健康状態が確認されるのである。
【０００３】
【発明が解決しようとする課題】
しかし、従来の方法にあっては、測定を繰り返すにつれてフィルター装置内のフィルターが汚れるために、例えば１４人から１５人が測定を行った後に、フィルター装置を分解してフィルターを交換する必要があり、作業が大変に面倒であるという問題点があった。また同時に多数の人により同一のフィルターが用いられるので、不衛生であるという問題点もあった。
【０００４】
そこで、本発明は、使い捨て用の簡易なフィルターユニットを用い、組立て等が簡単であるためコスト的にも安価であり、しかも衛生的な呼吸測定器用フィルターユニットを提供しようとするものである。
【０００５】
【課題を解決するための手段】
本発明者は前述の課題解決のために鋭意研究を行った結果、両端を開口した筒状のケース本体の一端部を拡開させるとともに開口縁に嵌合部を形成した一対のケースを用い、間にシート状のフィルターを介在させた状態で、開口部同士を対面させて嵌合部を嵌合させて組み立て、前記組み立てた一対のケースにおいて対面する嵌合部内面に、リング状の押圧突片と、該押圧突片が嵌入しうる一対の挟持片を離間して平行配設したリング状の挟持部をそれぞれ設け、一方のケースに他方のケースが外嵌しうるように、拡開させたケース本体の開口縁から略垂直に鍔片を周設し、かかる一方のケースの鍔片を、前記他方のケースの鍔片とで挟持しうる圧片を他方のケース内面に周設し、第１次シール部を形成し、一方のケースの鍔片と他方のケースの鍔片の当接面に全周にわたって凹凸部を設けて第２次シール部を形成し、第１次シール部における一方のケースの鍔片と圧片の接触面を先端に向かうにつれて内側斜めに傾斜させたテーパー面を設けたことを特徴とする呼吸測定器用フィルターユニットを提供しようとするものである。
【０００７】
第１鍔片外面の角部にシール凹部を設け、第２鍔片内面の先端部にシール凸部を設けることにより、第２次シール部を形成したものであってもよい。
【００１０】
【発明の実施の形態】
以下、添付図面を参照しながら、本発明の呼吸測定器用フィルターユニットＡ（以下、単にフィルターユニットＡと称する。）を具体化した実施の形態について説明する。
【００１１】
フィルターユニットＡは、図１及び図２に示すように、一方のケース１と、他方のケース２と、これらの間に介在させるフィルター３とで構成されている。一方のケース１に対して、他方のケース２を外嵌可能とし、両ケース２、３は、合成樹脂にて一体成形されている。
【００１２】
一方のケース１は、図２及び図４に示すように、円筒状の連結部４の先端から拡角してテーパー部５を設けてケース本体を形成し、該テーパー部５の先端から第１垂片６と第１鍔片７とよりなる断面がＬ字型の内嵌合部８を周設し、該内嵌合部８内面に一対の挟持片９，９を離間してリング状に並行配設して挟持部10を形成したものである。
【００１３】
他方のケース２は、図２及び図４に示すように、円筒状の連結部11の後端から拡角してテーパー部12を設けてケース本体を形成し、該テーパー部12の先端から第２垂片13と第２鍔片14とよりなる前記内嵌合部８に外嵌しうる断面がＬ字型の外嵌合部15を周設し、外嵌合部15内面に該第２鍔片14とで前記第１鍔片７を挟持しうるリング状の圧片16を周設し、更に内側に前記挟持部10内に嵌入しうるリング状の押圧突片17を周設している。尚、挟持部10及び押圧突片17は全周に設ける必要はなく、所定間隔ごとに設けてもよい。
【００１４】
そして、一方のケース１の内嵌合部８に、他方のケース２の外嵌合部15を嵌合させると、第１次シール部18と第２次シール部19が形成される構造となっている。具体的には、図４及び図５に示すように、他方のケース２の圧片16外面に先端に向かうにつれて内側に傾斜する第１テーパ面20を設け、一方のケース１の第１鍔片７の内面の角部に先端に向かうにつけて外側に傾斜する第２テーパ面21を設け、それぞれを当接させることにより第１次シール部18を形成している。この第１次シール部18の傾斜を大きく設定するとシール性を高めることができ、また、傾斜を逆にすることも可能である。
【００１５】
更に、図４及び図５に示すように、第１鍔片７外面の角部にシール凹部22を設け、第２鍔片14内面の先端部にシール凸部23を設けることにより、第２次シール部19を形成している。尚、シール性を持たせるためにはシール凹部22及びシール凸部23を全周にわたって設けるのが好ましいが、所定間隔ごとに設けてもよく、或いは凹凸の取り付けを逆にすることも可能である。また、第１鍔片７先端の上面に傾斜面を設け、一方のケース１と他方のケース２を嵌合させる時のガイド面24としている。尚、図３中26は、補強リブである。
【００１６】
フィルター３は、３層構造となった円形のシート部材であり、一方のケース１の第１鍔片７内に略位置しうる大きさに設定され、水分等を除去しうる不織布にて形成されており、該フィルター３を間に位置させた状態で一方のケース１と他方のケース２を嵌合させることにより、フィルター３にテンションをかけることができる。更に、一方のケース１に他方のケース２に外嵌させるような構造であってもよく、また、フィルター３を、ケース１、２より大きなものを用いることにより、内嵌合部８と外嵌合部15の嵌合により、フィルター３にテンションをかけるようにしたものであってもよい。
【００１７】
即ち、フィルターユニットＡを組み立てる場合、まず一方のケース１の開口部内にフィルター３を位置させた状態で、他方のケース３の開口部を対面させて、他方のケース２の押圧突片17を一方のケース１の挟持部10内に嵌入することによりフィルター３の周囲を引っ張ってテンションをかけるとともに、第１鍔片７のガイド面24にて第２鍔片14のシール凸部23を案内しながら、一方のケース１の内嵌合部８に他方のケース２の外嵌合部15を外嵌して組み立てることができる。組み立てた状態にあっては、図４及び図５に示すように、他方のケース２の圧片16の第１テーパ面20と一方のケース１の第１鍔片７の第２テーパ面21が当接して第１次シール部18を形成し、また一方のケース１の第１鍔片７のシール凹部22内に他方のケース２の第２鍔片14のシール凸部23が嵌合して第２次シール部19を形成する。そして、本実施例のフィルターユニットＡを使用する場合は、図１に示すように、フィルターユニットＡにおける一方のケース１の連結部４をマスク25内に接続するとともに、他方のケース２の連結部11に呼吸測定器のチューブ27を外嵌した状態で、マスク25を装着して呼吸を行うと、フィルターユニットＡ内のフィルター３を通過した後呼吸測定器に送られて酸素、二酸化炭素等の体積の測定が行われ、健康状態を確認することができる。
【００１８】
このように本実施例のフィルターユニットＡによれば、合成樹脂製の一方のケース１と他方のケース２、フィルター３とよりなり、これらの少ない部品で構成され、しかも一方のケース１内にフィルター３を位置させた状態で他方のケース２を嵌合するだけであるので、ねじ止め等の２次加工を必要とせずにワンタッチで簡単に組み立てることができ、全体の価格をも安価なものとして使い捨て用とすることができる。また、使い捨てとして使用することができるので、従来のものと比べて大変衛生的である。
【００１９】
また、フィルターユニットＡは、他方のケース２の押圧突片17を一方のケース１の挟持部10内に嵌入してフィルター３の周囲を引っ張ってテンションをかけた状態に保持することができるので、隙間から漏れることなくフィルター３の機能を十分に果たすことができ、また組み立てた状態にあっては、図４及び図５に示すように、他方のケース２の圧片16の第１テーパ面20と一方のケース１の第１鍔片７の第２テーパ面21が当接して第１次シール部18を形成し、また一方のケース１の第１鍔片７のシール凹部22内に他方のケース２の第２鍔片14のシール凸部23が嵌合されて第２次シール部19を形成するので、簡単な構造であるにもかかわらず、気密性に優れたものとなる。
【００２０】
尚、第１次シール部18の構造としては、上述したものの他に、図６のように、押圧突片17の先端に凹凸部28を設けるとともに、挟持部10の谷部にも凹凸部28を設けてこれらの嵌合により強固に挟持できる構造にすればより気密性を保持することができる。加えて、凹凸部28を設ける位置としては、一方のケース１の一対の挟持片９，９と、他方のケース２の押圧突片17の全周に渡って、凹凸部28を設けることも可能である。また、図７のように、他方のケース２に押圧突片17を設けるとともに、一方のケース１の挟持片９を設け、これらの押圧突片17及び挟持片９の先端部に、それぞれ嵌合しうる凹部30及び凸部31を設けたものであってもよい。更に、図８のように、単に他方のケース２に押圧突片17を設けるとともに、一方のケース１の挟持片９を設け、これらの当接面にてフィルター３を抱えこむようにした構造であってもよい。
【００２１】
また、一方のケース１と他方のケース２を固定する構造としては、第２次シール部19の構造を用いる他に、図９に示すように、他方のケース２の第２鍔片14内面に所定間隔ごとに３又は４個の突片32を設け、一方のケース１の第１鍔片７表面に前記突片32を案内して係合させるＬ字型の嵌合溝33を設け、角部に引き付け面34を設けて係合部35内に導く構造であってもよい。
【００２２】
最後に、図10に基づいて、実施を予定しているフィルターユニットＡについて説明する。
フィルターユニットＡは、図10に示すように、一方のケース１において第１垂片６に対して第１鍔片７を下方にずらして段部36を形成することにより、他方のケース２の第２鍔片14を外嵌した時に先端面を当止させるような構造とし、第１鍔片７と第２鍔片14の当接面の途中に、嵌合しうるシール凸部23とシール凹部22を第１鍔片７及び第２鍔片14にそれぞれ設け、第２次シール部19を形成している。第１鍔片７と第２鍔片14の当接面の途中に嵌合しうるシール凸部23とシール凹部22を設けることにより、シール性をより高めることができる。
【００２３】
【発明の効果】
以上の記載より明らかなように、次に記載する作用及び効果を奏する。
請求項１の呼吸測定器用フィルターユニットによれば、間にシート状のフィルターを介在させた状態で、開口部同士を対面させて開口縁に設けた嵌合部を嵌合させることにより組み立てることができる。更に、一方のケースをマスク内に接続するとともに、他方のケースに呼吸測定器のチューブを接続した状態で、マスクを装着して呼吸を行うことにより、フィルターユニット内のフィルターを通過した後呼吸測定器に送られて酸素、二酸化炭素等の体積の測定が行われ、健康状態を確認することができる。
【００２４】
このように本発明に係るフィルターユニットによれば、合成樹脂製の一対のケース、フィルターとよりなり、これらの少ない部品で構成され、しかもフィルターを介在させた状態で一対のケースの嵌合部を嵌合させるだけであるので、ねじ止め等の２次加工を必要とせずにワンタッチで簡単に組み立てることができ、全体の価格をも安価なものとして使い捨て用とすることができる。また、使い捨てとして使用することができるので、従来のものと比べて大変衛生的である。
【００２５】
また、請求項１の呼吸測定器用フィルターユニットによれば、一方のケースの開口部と他方のケースの開口部を対面させて、間にフィルターを位置させた状態で、一方のケースの嵌合部内面に設けた押圧突片を、他方のケースの嵌合部内面に設けた挟持部内に嵌入することによりフィルターの周囲を引っ張ってテンションをかけながら、一方のケースと他方のケースを嵌合して組み立てることができる。組み立てた状態にあっては、フィルターを介在させた状態で、他方のケースの押圧突片を一方のケースの挟持部内に嵌入してフィルターの周囲を引っ張ってテンションをかけた状態に保持することができるので、隙間から漏れることなくフィルターの機能を十分に果たすことができる。
【００２６】
請求項１の呼吸測定器用フィルターユニットによれば、組み立てた状態にあっては、一方のケースの鍔片が他方のケースの鍔片と圧片にて挟持されて第１次シール部を形成して気密状態を保持することができる。
【００２７】
請求項１の呼吸測定器用フィルターユニットによれば、第１次シール部における一方のケースの鍔片と圧片の接触面を傾斜させてテーパー部を設けているので、より気密性を保持することができる。
【００２８】
請求項１の呼吸測定器用フィルターユニットによれば、組み立てた状態にあっては、一方のケースの鍔片と他方のケースの鍔片の当接面に設けた凹凸部が全周にわたって嵌合されて第２次シール部が形成されるので、より気密性を保持することができる。
【図面の簡単な説明】
【図１】本発明に係る代表的実施例の呼吸測定器用フィルターユニットの使用状態を示す説明正面図
【図２】同じく呼吸測定器用フィルターユニットの分解状態を示す説明正面図
【図３】一方のケースの側面図
【図４】呼吸測定器用フィルターユニットの嵌合部の拡大断面図
【図５】呼吸測定器用フィルターユニットの嵌合部の分解拡大断面図
【図６】他の実施例の嵌合部の分解拡大断面図
【図７】他の実施例の嵌合部の分解拡大断面図
【図８】他の実施例の嵌合部の分解拡大断面図
【図９】他の実施例である一方のケースと他方のケースの固定方法を示す分解斜視図
【図１０】他の実施例である呼吸測定器用フィルターユニットの嵌合部の拡大断面図
【符号の説明】
Ａ  呼吸測定器用フィルターユニット
１  一方のケース                          ２  他方のケース
３  フィルター                            ４  連結部
５  テーパー部                            ６  第１垂片
７  第１鍔片                              ８  内嵌合部
９  挟持片                                10  挟持部
11  連結部                                12  テーパー部
13  第２垂片                              14  第２鍔片
15  外嵌合部                              16  圧片
17  押圧突片                              18  第１次シール部
19  第２次シール部                        20  第１テーパー面
21  第２テーパー面                        22  シール凹部
23  シール凸部                            24  ガイド面
25  マスク                                26  補強リブ
27  チューブ                              28  凹凸部
30  凹部
31  凸部                                  32  突片
33  嵌合溝                                34  引き付け面
35  係合部                                36  段部
【図１】
0003684644.tif 000002
【図２】
0003684644.tif 000003
【図３】
0003684644.tif 000004
【図４】
0003684644.tif 000005
【図５】
0003684644.tif 000006
【図６】
0003684644.tif 000007
【図７】
0003684644.tif 000008
【図８】
0003684644.tif 000009
【図９】
0003684644.tif 000010
【図１０】
0003684644.tif 000011